(57)【要約】【課題】フラッシュメモリの寿命が近づいていると言う第１の警告画面と、不揮発性メモリの寿命が切れていると言う第２の警告画面とを表示させることができる電気機器を提供する。【解決手段】フラッシュメモリのデータ書き換え回数が書き換え上限回数に近づいたときに、フラッシュメモリの寿命が近づいていると言うメッセージの第１の警告画面がディスプレイ装置に表示される。更に、書き換え回数が前記書き換え上限回数を超えたときに、フラッシュメモリの寿命が切れていると言うメッセージの第２の警告画面がディスプレイ装置に表示される。したがって、フラッシュメモリが寿命に近づいていることを知ったり、寿命が切れていることを知ったりすることができる。【選択図】図４
2008140238.tif 000002
【特許請求の範囲】
【請求項１】
機器全体を制御する中央演算処理装置と、この中央演算処理装置が行うデータ処理や制御に必要なデータを記憶する書き換え可能な不揮発性メモリとを備えた電気機器において、
前記不揮発性メモリへのデータの書き換えが行われて完了したときに、書き換え回数に１を加算して前記不揮発性メモリへのデータの書き換え回数をカウントする書換回数カウント手段と、
前記書き換え回数を前記不揮発性メモリに記憶させる書換回数記憶処理手段と、
前記書き換え回数が予め定められた上限値以下で上限値の所定パーセントを超えているか否かを判定する第１の書き換え回数判定手段と、
前記書き換え回数が予め定められた上限値以下で上限値の所定パーセントを超えていると判定されたとき、前記不揮発性メモリの寿命が近づいていると言うメッセージの第１の警告画面を表示手段に表示させる第１の警告画面表示処理手段と、
前記書き換え回数が予め定められた上限値を超えているか否かを判定する第２の書き換え回数判定手段と、
前記書き換え回数が予め定められた上限値を超えていると判定されたとき、前記不揮発性メモリの寿命が切れていると言うメッセージの第２の警告画面を前記表示手段に表示させる第２の警告画面表示処理手段とを、前記中央演算処理装置に設けたことを特徴とする電気機器。
【請求項２】
機器全体を制御する中央演算処理装置と、この中央演算処理装置が行うデータ処理や制御に必要なデータを記憶する書き換え可能な不揮発性メモリとを備えた電気機器において、
前記中央演算処理装置は、前記不揮発性メモリのデータを書き換えした書き換え回数を常に監視およびカウントし、このカウントされた書き換え回数が前記不揮発性メモリの書き換え上限回数に近づいたときに、前記不揮発性メモリの寿命が近づいていると言うメッセージの第１の警告画面を表示手段に表示させ、更に、前記カウントされた書き換え回数が前記不揮発性メモリの書き換え上限回数を超えたときに、前記不揮発性メモリの寿命が切れていると言うメッセージの第２の警告画面を前記表示手段に表示させることを特徴とする電気機器。
【請求項３】
前記中央演算処理装置は、不揮発性メモリへのデータの書き換えが行われて完了したときに、書き換え回数に１を加算して前記不揮発性メモリへのデータの書き換え回数をカウントする書換回数カウント手段と、前記書き換え回数を前記不揮発性メモリに記憶させる書換回数記憶処理手段と、前記書き換え回数が予め定められた上限値以下で上限値の所定パーセントを超えているか否かを判定する第１の書き換え回数判定手段と、前記書き換え回数が予め定められた上限値以下で上限値の所定パーセントを超えていると判定されたとき、前記不揮発性メモリの寿命が近づいていると言うメッセージの第１の警告画面を表示手段に表示させる第１の警告画面表示処理手段と、前記書き換え回数が予め定められた上限値を超えているか否かを判定する第２の書き換え回数判定手段と、前記書き換え回数が予め定められた上限値を超えていると判定されたとき、前記不揮発性メモリの寿命が切れていると言うメッセージの第２の警告画面を前記表示手段に表示させる第２の警告画面表示処理手段とを有することを特徴とする請求項２に記載の電気機器。
【発明の詳細な説明】
【技術分野】
【０００１】
本発明は、機器全体を制御するＣＰＵ（中央演算処理装置）と、このＣＰＵが行うデータ処理や制御に必要なデータを記憶する書き換え可能な不揮発性メモリとを備えた電気機器に関し、特に、不揮発性メモリの書き換え回数を警告するための処理に関する。
【背景技術】
【０００２】
従来から、ハードディスク装置や光ディスク装置、あるいはパーソナルコンピュータ、複写機、プリンタなどの電気機器は、データ処理や制御に必要なデータを記憶する書き換え可能な不揮発性メモリであるフラッシュメモリを備えている。このフラッシュメモリは、ＣＰＵによってデータが、書き込まれたり、読み出されたり、あるいは書き換えられたりするが、何回も書き換えられているうちに、メーカの保証する書き換え回数の寿命が来て、書き換えすることができなくなり、電気機器が動作不能になる。
【０００３】
そこで、特許文献１の従来技術では、記憶手段（フラッシュメモリ）の記憶内容が書き換えられたことを判別する書換判別手段と、この書換判別手段により前記記憶手段の内容が書き換えられたことが判別される毎に書換回数を計数する計数手段と、前記書換回数計数値が前記記憶手段の書換回数制限値に所定数まで近づいたとき警告表示をする表示手段とを備えることにより、記憶手段の書換回数が制限値になる前に警告表示を行っている。
【０００４】
また、特許文献２の従来技術では、電源投入時に不揮発性メモリから情報と更新回数を読み出す読み出し手段と、前記更新回数を所定の閾値と比較する比較手段と、この比較手段の比較結果に従って不揮発性メモリの交換を装置利用者に促す通知手段とを備えることにより、不揮発性メモリの書き込み回数（書き換え回数）が所定回数を超えたときに、不揮発性メモリの交換時期が来ていることを示すメッセージを表示させるようにしている。
【特許文献１】特開平１０−１８７５４８号公報
【特許文献２】特開２０００−２９７９３号公報
【発明の開示】
【発明が解決しようとする課題】
【０００５】
しかしながら、特許文献１の従来技術は、記憶手段の書換回数が制限値になる前に警告表示を行っているが、その制限値の設定の値によっては、不揮発性メモリの寿命が近づいていると言うことか、不揮発性メモリの寿命が切れていると言うことかの区別が付かないので、ユーザは、近いうちに装置をメーカに送って、不揮発性メモリを交換してもらうか、それとも新しい装置に買い替えるかの対策、あるいは早々に装置をメーカに送って、不揮発性メモリを交換してもらうか、それとも直ぐに新しい装置に買い替えるかの対策のどちらを実行すれば良いかが分からなく、ユーザの都合に適応できないと場合があると言う課題が生じる。
【０００６】
また、特許文献２の従来技術は、不揮発性メモリの書き込み回数（書き換え回数）が所定回数を超えたときに、不揮発性メモリの交換時期が来ていることを示すメッセージを表示させるようにしているが、その所定回数の設定の値によっては、不揮発性メモリの寿命が近づいていると言うことか、不揮発性メモリの寿命が切れていると言うことかの区別が付かないので、ユーザは、近いうちに装置をメーカに送って、不揮発性メモリを交換してもらうか、それとも新しい装置に買い替えるかの対策、あるいは早々に装置をメーカに送って、不揮発性メモリを交換してもらうか、それとも直ぐに新しい装置に買い替えるかの対策のどちらを実行すれば良いかが分からなく、ユーザの都合に適応できないと場合があると言う課題が生じる。
【０００７】
本発明は、上記のような課題を解決するためになされたもので、不揮発性メモリの寿命が近づいていると言う第１の警告画面と、不揮発性メモリの寿命が切れていると言う第２の警告画面とを表示させることができる電気機器を提供することを目的とする。
【課題を解決するための手段】
【０００８】
上記目的を達成するために、請求項１の発明は、前記不揮発性メモリへのデータの書き換えが行われて完了したときに、書き換え回数に１を加算して前記不揮発性メモリへのデータの書き換え回数をカウントする書換回数カウント手段と、前記書き換え回数を前記不揮発性メモリに記憶させる書換回数記憶処理手段と、前記書き換え回数が予め定められた上限値以下で上限値の所定パーセントを超えているか否かを判定する第１の書き換え回数判定手段と、前記書き換え回数が予め定められた上限値以下で上限値の所定パーセントを超えていると判定されたとき、前記不揮発性メモリの寿命が近づいていると言うメッセージの第１の警告画面を表示手段に表示させる第１の警告画面表示処理手段と、前記書き換え回数が予め定められた上限値を超えているか否かを判定する第２の書き換え回数判定手段と、前記書き換え回数が予め定められた上限値を超えていると判定されたとき、前記不揮発性メモリの寿命が切れていると言うメッセージの第２の警告画面を前記表示手段に表示させる第２の警告画面表示処理手段とを、前記中央演算処理装置に設けたことを特徴とする電気機器を提供する。
【０００９】
この構成において、不揮発性メモリの書き換え処理が発生すると、中央演算処理装置の書換回数加算手段は、不揮発性メモリへのデータの書き換えが行われて完了したときに、書き換え回数に１を加算して、不揮発性メモリへのデータの書き換え回数をカウントし、中央演算処理装置の書換回数記憶処理手段は、書き換え回数を不揮発性メモリに記憶させる。この後、中央演算処理装置の第１の書き換え回数判定手段は、前記書き換え回数が予め定められた上限値以下で上限値の所定パーセントを超えているか否かを判定する。前記書き換え回数が予め定められた上限値以下で上限値の所定パーセントを超えていると判定されたとき、中央演算処理装置の第１の警告画面表示処理手段は、不揮発性メモリの寿命が近づいていると言うメッセージの第１の警告画面を表示手段に表示させる。
【００１０】
前記書き換え回数が予め定められた上限値以下で上限値の所定パーセントを超えていると判定されなかったとき、中央演算処理装置の第２の書き換え回数判定手段は、前記書き換え回数が予め定められた上限値を超えているか否かを判定する。前記書き換え回数が予め定められた上限値を超えていると判定されたとき、中央演算処理装置の第２の警告画面表示処理手段は、不揮発性メモリの寿命が切れていると言うメッセージの第２の警告画面を表示手段に表示させる。
【００１１】
この構成によれば、不揮発性メモリの寿命が近づいていると言うメッセージの第１の警告画面を見たユーザは、自分所有の電気機器に内蔵の不揮発性メモリが寿命に近づいていることを知り、このままの状態では、長く使用できないので、近いうちに電気機器をメーカに送って、不揮発性メモリを交換してもらうか、それとも新しい電気機器に買い替えるかの対策を講じることができる。また、不揮発性メモリの寿命が切れていると言うメッセージの第２の警告画面を見たユーザは、自分所有の電気機器に内蔵の不揮発性メモリが本来の寿命を超えていることを知り、このままの状態では、電気機器の動作が、いつ異常になるか分からないので、早急に電気機器をメーカに送って、不揮発性メモリを交換してもらうか、それとも早急に新しい電気機器に買い替えるかの対策を講じなければならないことを知ることになる。したがって、ユーザは、自分の都合に合わせて対処することができ、急にデータの保存ができなくなってトラブルとなる事を未然に防ぐことができる。
【００１２】
請求項２の発明では、中央演算処理装置は、前記不揮発性メモリのデータを書き換えした書き換え回数を常に監視およびカウントし、このカウントされた書き換え回数が前記不揮発性メモリの書き換え上限回数に近づいたときに、前記不揮発性メモリの寿命が近づいていると言うメッセージの第１の警告画面を表示手段に表示させ、更に、前記カウントされた書き換え回数が前記不揮発性メモリの書き換え上限回数を超えたときに、前記不揮発性メモリの寿命が切れていると言うメッセージの第２の警告画面を前記表示手段に表示させることを特徴とする電気機器を提供する。
【００１３】
この構成において、不揮発性メモリのデータ書き換え回数が書き換え上限回数に近づいたときに、不揮発性メモリの寿命が近づいていると言うメッセージの第１の警告画面が表示手段に表示される。更に、書き換え回数が前記不揮発性メモリの書き換え上限回数を超えたときに、不揮発性メモリの寿命が切れていると言うメッセージの第２の警告画面が表示手段に表示される。
【００１４】
不揮発性メモリの寿命が近づいていると言うメッセージの第１の警告画面を見たユーザは、自分所有の電気機器に内蔵の不揮発性メモリが寿命に近づいていることを知り、このままの状態では、長く使用できないので、近いうちに電気機器をメーカに送って、不揮発性メモリを交換してもらうか、それとも新しい電気機器に買い替えるかの対策を講じることができる。また、不揮発性メモリの寿命が切れていると言うメッセージの第２の警告画面を見たユーザは、自分所有の電気機器に内蔵の不揮発性メモリが本来の寿命を超えていることを知り、このままの状態では、電気機器の動作が、いつ異常になるか分からないので、早急に電気機器をメーカに送って、不揮発性メモリを交換してもらうか、それとも早急に新しい電気機器に買い替えるかの対策を講じなければならないことを知ることになる。したがって、ユーザは、自分の都合に合わせて対処することができ、急にデータの保存ができなくなってトラブルとなる事を未然に防ぐことができる。
【００１５】
請求項３の発明では、請求項２の発明において、中央演算処理装置は、不揮発性メモリへのデータの書き換えが行われて完了したときに、書き換え回数に１を加算して前記不揮発性メモリへのデータの書き換え回数をカウントする書換回数カウント手段と、前記書き換え回数を前記不揮発性メモリに記憶させる書換回数記憶処理手段と、前記書き換え回数が予め定められた上限値以下で上限値の所定パーセントを超えているか否かを判定する第１の書き換え回数判定手段と、前記書き換え回数が予め定められた上限値以下で上限値の所定パーセントを超えていると判定されたとき、前記不揮発性メモリの寿命が近づいていると言うメッセージの第１の警告画面を表示手段に表示させる第１の警告画面表示処理手段と、前記書き換え回数が予め定められた上限値を超えているか否かを判定する第２の書き換え回数判定手段と、前記書き換え回数が予め定められた上限値を超えていると判定されたとき、前記不揮発性メモリの寿命が切れていると言うメッセージの第２の警告画面を前記表示手段に表示させる第２の警告画面表示処理手段とを有することを特徴とする。
【００１６】
したがって、中央演算処理装置は、書換回数カウント処理、書換回数記憶処理、第１の書き換え回数判定処理、第１の警告画面表示処理処理、第２の書き換え回数判定処理、および第２の警告画面表示処理を実現でき、これにより、不揮発性メモリの寿命が近づいていると言うメッセージの第１の警告画面を表示させることが可能になり、また、不揮発性メモリの寿命が切れていると言うメッセージの第２の警告画面を表示させることが可能になる。
【発明の効果】
【００１７】
以上のように本発明によれば、不揮発性メモリの寿命が近づいていると言うメッセージの第１の警告画面を見たユーザは、自分所有の電気機器に内蔵の不揮発性メモリが寿命に近づいていることを知り、このままの状態では、長く使用できないので、近いうちに電気機器をメーカに送って、不揮発性メモリを交換してもらうか、それとも新しい電気機器に買い替えるかの対策を講じることができる。また、不揮発性メモリの寿命が切れていると言うメッセージの第２の警告画面を見たユーザは、自分所有の電気機器に内蔵の不揮発性メモリが本来の寿命を超えていることを知り、このままの状態では、電気機器の動作が、いつ異常になるか分からないので、早急に電気機器をメーカに送って、不揮発性メモリを交換してもらうか、それとも早急に新しい電気機器に買い替えるかの対策を講じなければならないことを知ることになる。したがって、ユーザは、自分の都合に合わせて対処することができ、急にデータの保存ができなくなってトラブルとなる事を未然に防ぐことができる。
【発明を実施するための最良の形態】
【００１８】
以下、添付図面を参照しつつ、本発明の実施の形態について説明する。図１は本発明の一実施形態に係る電気機器としての複合型記録再生装置の構成を示すブロック図である。ここでは、電気機器としては、ハードディスク装置と光ディスク装置とが組み込まれた複合型記録再生装置について説明するが、本発明は、複合型記録再生装置に限らず、単体のハードディスク装置や光ディスク装置、あるいはパーソナルコンピュータ、複写機、プリンタなど、不揮発性メモリを備えた電気機器であれば、何れにも適用することができる。
【００１９】
図１において、複合型記録再生装置１は、ＤＶＤやＣＤなどの光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、装置全体を制御するシステムコントローラ１０と、光ディスク装置２またはハードディスク装置３またはチューナ４から出力された映像音声信号を復号するデコーダ５と、このデコーダ５で復号された映像信号をモニタ装置（テレビ受信機など）１３のディスプレイ装置１３１で表示可能な映像信号に変換する映像出力部７と、第１の警告画面や第２の警告画面などをモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９とを備えている。
【００２０】
システムコントローラ１０は、ＣＰＵ（中央演算処理装置）１６とＲＡＭ１７とフラッシュメモリ６とを含み構成されている。フラッシュメモリ６は、装置の固有情報や、チューナ４が受信可能な放送チャンネルを記憶すると共に、ＣＰＵ１６の動作に必要なプログラムなどを記憶する書き換え可能なメモリである。ＲＡＭ１７は、ＣＰＵ１６での演算や制御に必要なデータを一時的に格納するランダムアクセスメモリである。
【００２１】
ＣＰＵ１６は、フラッシュメモリ６へのデータの書き換えが行われて完了したときに、書き換え回数に１を加算してフラッシュメモリ６へのデータの書き換え回数をカウントする書換回数カウント手段と、前記書き換え回数をフラッシュメモリ６に記憶させる書換回数記憶処理手段と、前記書き換え回数が予め定められた上限値（書き換え上限回数）以下で上限値の所定パーセント（例えば９０パーセント）を超えているか否かを判定する第１の書き換え回数判定手段と、前記書き換え回数が予め定められた上限値（書き換え上限回数）以下で上限値の所定パーセント（例えば９０パーセント）を超えているか否かを判定する第１の書き換え回数判定手段と、前記書き換え回数が予め定められた上限値（書き換え上限回数）以下で上限値の所定パーセントを超えていると判定されたとき、フラッシュメモリ６の寿命が近づいていると言うメッセージの第１の警告画面を表示手段（例えばモニタ装置１３のディスプレイ装置１３１）に表示させる第１の警告画面表示処理手段と、前記書き換え回数が予め定められた上限値を超えているか否かを判定する第２の書き換え回数判定手段と、前記書き換え回数が予め定められた上限値（書き換え上限回数）を超えていると判定されたとき、フラッシュメモリ６の寿命が切れていると言うメッセージの第２の警告画面を前記表示手段に表示させる第２の警告画面表示処理手段とを有する。
【００２２】
図２は本実施形態においてディスプレイ装置に表示される第１の警告画面の内容を説明するための図である。この第１の警告画面Ａには、「フラッシュメモリの寿命が近づいています！  このままではデータの保存が出来なくなって正常な動作が保証出来なくなりますので交換または買い替えをお勧めします。」と言うメッセージが表示されている。したがって、このメッセージを見たユーザは、自分所有の電気機器（この例の場合は複合型記録再生装置）に内蔵のフラッシュメモリが寿命に近づいていることを知り、このままの状態では、長く使用できないので、近いうちに複合型記録再生装置をメーカに送って、フラッシュメモリを交換してもらうか、それとも新しい複合型記録再生装置に買い替えるかの対策を講じることができる。
【００２３】
図３は本実施形態においてディスプレイ装置に表示される第２の警告画面の内容を説明するための図である。この第２の警告画面Ｂには、「フラッシュメモリの寿命が切れています！  現在の状態では機器の正常な動作が保証出来ませんので速やかに交換または買い替えをお勧めします。」と言うメッセージが表示されている。したがって、このメッセージを見たユーザは、自分所有の電気機器（この例の場合は複合型記録再生装置）に内蔵のフラッシュメモリが本来の寿命を超えていることを知り、このままの状態では、複合型記録再生装置の動作が、いつ異常になるか分からないので、早々に複合型記録再生装置をメーカに送って、フラッシュメモリを交換してもらうか、それとも早々に新しい複合型記録再生装置に買い替えるかの対策を講じなければならないことを知ることになる。
【００２４】
図４は本実施形態の複合型記録再生装置においてフラッシュメモリの寿命に関する警告画面の表示処理を説明するためのフローチャートである。このフローチャートおよび図１〜図３を参照してフラッシュメモリの寿命に関する警告画面の表示処理について説明する。
【００２５】
先ず、装置の電源を入れるため、ユーザは、リモコン１１または図示しない本体操作部の電源キーを押下すると、システムコントローラ１０は、装置の電源（主電源）をオンさせる。これにより、ＣＰＵ１６は、装置の電源がオンされたことを検知する（ステップＳ１）。なお、システムコントローラ１０は、装置の電源（主電源）がオンされる前は、待機電源により動作が可能になっている。
【００２６】
装置の電源がオンされた後、例えば、リモコン１１のＤＶＤモード切換キーの押下によりＤＶＤモードに設定され、次いでリモコン１１の再生キーが押下された場合は、システムコントローラ１０は、光ディスク装置２を再生動作させ、光ディスク１５に記録された情報を読み出す。また、例えば、リモコン１１のＨＤＤモード切換キーの押下によりＨＤＤモードに設定され、次いでリモコン１１の再生キーが押下された場合は、システムコントローラ１０は、ハードディスク装置３を再生動作させ、ＨＤ１４に記録された情報を読み出す。また、例えば、リモコン１１のＤＶＤモード切換キーの押下によりＤＶＤモードに設定され、次いでリモコン１１の記録キーが押下された場合は、システムコントローラ１０は、光ディスク装置２を記録動作させ、光ディスク１５に情報を記録させる。また、例えば、リモコン１１のＨＤＤモード切換キーの押下によりＨＤＤモードに設定され、次いでリモコン１１の記録キーが押下された場合は、システムコントローラ１０は、ハードディスク装置３を記録動作させ、ＨＤ１４に情報を記録させる。
【００２７】
このような再生動作や記録動作においては、フラッシュメモリ６に対して、データを書き込んだり、データを読み出したり、あるいは書き込んだデータを変更するために書き換えたりする処理が行われる。また、各種情報のデータの設定（言語設定、テレビ端子の設定）においても、フラッシュメモリ６への各種情報のデータの設定が行われ、設定内容が変更されたときには、フラッシュメモリ６は、データの書き換えが行われる。また、テレビ番組の記録動作時には、記録する番組のチャンネルや番組名や記録日時などの情報もフラッシュメモリ６に一時的に保存され、当該番組の記録が終了して、次に記録するテレビ番組についても、チャンネルや番組名や記録日時などの情報が、フラッシュメモリ６に書き込まれる際に、前回の記録番組に対するチャンネルや番組名や記録日時などの情報に上書きされることによって、フラッシュメモリ６のデータは書き換えられることになる。
【００２８】
再生動作や記録動作あるいは設定操作などにおいて、フラッシュメモリ６の書き換え処理が発生すると、システムコントローラ１０のＣＰＵ１６は、フラッシュメモリ６の書き換え処理が発生したことを検知し（ステップＳ２）、フラッシュメモリ６へのデータの書き換え処理を実行する（ステップＳ３）。そして、ＣＰＵ１６の書換回数加算手段は、フラッシュメモリ６へのデータの書き換えが行われて完了したときに、書き換え回数に１を加算して（ステップＳ４）、フラッシュメモリ６へのデータの書き換え回数をカウントし、書き換え回数をフラッシュメモリ６に記憶させる。
【００２９】
この後、ＣＰＵ１６の第１の書き換え回数判定手段は、前記書き換え回数が予め定められた上限値以下で上限値の所定パーセント（例えば９０％）を超えているか否かを判定する（ステップＳ５）。前記書き換え回数が予め定められた上限値以下で上限値の所定パーセント（例えば９０％）を超えていると判定されたとき、ＣＰＵ１６の第１の警告画面表示処理手段は、フラッシュメモリ６に予め記憶されている第１の警告画面データを読み出し、ＯＳＤ回路１２でＯＳＤ処理し、更に、映像出力部７でディスプレイ装置１３１で表示可能な映像信号に変換し、フラッシュメモリ６の寿命が近づいていると言うメッセージの第１の警告画面Ａをディスプレイ装置１３１に表示させる（ステップＳ６）。
【００３０】
この第１の警告画面Ａには、「フラッシュメモリの寿命が近づいています！  このままではデータの保存が出来なくなって正常な動作が保証出来なくなりますので交換または買い替えをお勧めします。」と言うメッセージが表示されている。したがって、このメッセージを見たユーザは、自分所有の複合型記録再生装置１に内蔵のフラッシュメモリ６が寿命に近づいていることを知り、このままの状態では、長く使用できないので、近いうちに複合型記録再生装置１をメーカに送って、フラッシュメモリ６を交換してもらうか、それとも新しい複合型記録再生装置に買い替えるかの対策を講じることができる。
【００３１】
前記書き換え回数が予め定められた上限値以下で上限値の所定パーセントを超えていると判定されなかったとき（ステップＳ５）、ＣＰＵ１６の第２の書き換え回数判定手段は、前記書き換え回数が予め定められた上限値を超えているか否かを判定する（ステップＳ７）。前記書き換え回数が予め定められた上限値を超えていると判定されたとき、ＣＰＵ１６の第２の警告画面表示処理手段は、フラッシュメモリ６に予め記憶されている第２の警告画面データを読み出し、ＯＳＤ回路１２でＯＳＤ処理し、更に、映像出力部７でディスプレイ装置１３１で表示可能な映像信号に変換し、フラッシュメモリ６の寿命が切れていると言うメッセージの第２の警告画面Ｂを、ディスプレイ装置１３１に表示させる（ステップＳ８）。
【００３２】
この第２の警告画面Ｂには、「フラッシュメモリの寿命が切れています！  現在の状態では機器の正常な動作が保証出来ませんので速やかに交換または買い替えをお勧めします。」と言うメッセージが表示されている。したがって、このメッセージを見たユーザは、自分所有の複合型記録再生装置１に内蔵のフラッシュメモリ６が本来の寿命を超えていることを知り、このままの状態では、複合型記録再生装置１の動作が、いつ異常になるか分からないので、早々に複合型記録再生装置１をメーカに送って、フラッシュメモリ６を交換してもらうか、それとも新しい複合型記録再生装置に買い替えるかの対策を講じなければならないことを知ることになる。
【００３３】
なお、電源オンが検知され（ステップＳ１）、書き換え処理が発生していない場合は（ステップＳ２）、ステップＳ５の処理に移り、書き換え回数が予め定められた上限値以下で上限値の所定パーセント（例えば９０％）を超えていると判定されたとき、ＣＰＵ１６の第１の警告画面表示処理手段は、第１の警告画面Ａをディスプレイ装置１３１に表示させる（ステップＳ６）。また、書き換え回数が予め定められた上限値を超えていると判定されたとき、ＣＰＵ１６の第２の警告画面表示処理手段は、第２の警告画面Ｂをディスプレイ装置１３１に表示させる（ステップＳ８）。したがって、装置の電源が入れられたときに、第１の警告画面Ａまたは第１の警告画面Ｂがディスプレイ装置１３１に表示されるか、あるいは書き換え回数が上限値の所定パーセント（例えば９０％）以下であって警告画面が表示されない（ステップＳ９）の何れかであるので、ユーザはフラッシュメモリ６の寿命の状態を直ぐに知ることができる。
【００３４】
以上説明したように本実施形態によれば、フラッシュメモリ６の寿命が近づいていると言うメッセージの第１の警告画面Ａを見たユーザは、自分所有の複合型記録再生装置１に内蔵のフラッシュメモリ６が寿命に近づいていることを知り、このままの状態では、長く使用できないので、近いうちに複合型記録再生装置１をメーカに送って、フラッシュメモリ６を交換してもらうか、それとも新しい複合型記録再生装置に買い替えるかの対策を講じることができる。また、フラッシュメモリ６の寿命が切れていると言うメッセージの第２の警告画面Ｂを見たユーザは、自分所有の複合型記録再生装置１に内蔵のフラッシュメモリ６が本来の寿命を超えていることを知り、このままの状態では、複合型記録再生装置１の動作が、いつ異常になるか分からないので、早急に複合型記録再生装置１をメーカに送って、フラッシュメモリ６を交換してもらうか、それとも早急に新しい複合型記録再生装置に買い替えるかの対策を講じなければならないことを知ることになる。したがって、ユーザは、自分の都合に合わせて対処することができ、急にデータの保存ができなくなって、記録や再生などができなくなるトラブルを未然に防ぐことができる。
【００３５】
なお、前記実施形態では、不揮発性メモリとしてフラッシュメモリ６を例に挙げたが、これに限らずＥＥＰＲＯＭについても、同様に寿命に関する第１の警告画面Ａおよび第２の警告画面Ｂをモニタ装置１３のディスプレイ装置１３１に表示させることができる。また、前記実施形態では、第１の警告画面Ａおよび第２の警告画面Ｂをディスプレイ装置１３１に表示させたが、これに限らず、第１の警告画面Ａおよび第２の警告画面Ｂのメッセージの内容を図示しない本体操作部の表示パネルに表示させても良い。また、前記実施形態では、複合型記録再生装置１に備えられるフラッシュメモリ６の寿命に関する第１の警告画面Ａおよび第２の警告画面Ｂについて説明したが、フラッシュメモリが備えられる電気機器であれば、同様にフラッシュメモリの寿命に関する第１の警告画面Ａおよび第２の警告画面Ｂを表示させることができる。
【産業上の利用可能性】
【００３６】
本発明は、ハードディスク装置や光ディスク装置、あるいはパーソナルコンピュータ、複写機、プリンタなど、不揮発性メモリを内蔵した電気機器に利用可能であり、フラッシュメモリなどの不揮発性メモリの書き換え回数の寿命を第１の警告画面および第２の警告画面で警告するようにする。
【図面の簡単な説明】
【００３７】
【図１】本発明の一実施形態に係る電気機器としての複合型記録再生装置の構成を示すブロック図である。
【図２】前記実施形態においてディスプレイ装置に表示される第１の警告画面の内容を説明するための図である。
【図３】前記実施形態においてディスプレイ装置に表示される第２の警告画面の内容を説明するための図である。
【図４】前記実施形態の複合型記録再生装置においてフラッシュメモリの寿命に関する警告画面の表示処理を説明するためのフローチャートである。
【符号の説明】
【００３８】
Ａ    第１の警告画面
Ｂ    第２の警告画面
１    複合型記録再生装置（電気機器）
６    フラッシュメモリ（不揮発性メモリ）
１６    ＣＰＵ（中央演算処理装置）
【図１】
2008140238.tif 000003
【図２】
2008140238.tif 000004
【図３】
2008140238.tif 000005
【図４】
2008140238.tif 000006